(57)【要約】【解決手段】セグメント躯体Ａを製造するための型枠２に設置することができる止水材であって、前記セグメント躯体Ａを形成するために前記型枠２内のコンクリートを打設する側に突出させ得る突起部材１ａを有している。この突起部材１ａを型枠２内に突出するように設置すれば、前記型枠２内のコンクリートを打設する側に突起部材１ａが突出することになり、この型枠２内にコンクリート４を打設してそれが硬化すれば、別途の止水材取付工程を要することなく、コンクリート製のセグメント躯体Ａに止水材１の２つの部材の１つである突起部材１ａが固定された状態になる。【効果】したがって、セグメント躯体Ａ，Ａを相互に連結するに当って、止水材１の２つの部材の１つである突起部材１ａを設置する施工工程を削減することができる。【選択図】図１
2015094196.tif 000002
【特許請求の範囲】
【請求項１】
セグメント躯体を製造するための型枠に設置することができる止水材であって、前記セグメント躯体を形成するために前記型枠内のコンクリートを打設する側に突出させ得る突起部材と、この突起部材に結合させ得る結合部材の２つの部材で構成されていることを特徴とするセグメント躯体の連結部用止水材。
【請求項２】
止水材を構成する２つの部材がゴムその他の弾性体から形成されていることを特徴とする請求項１記載のセグメント躯体の連結部用止水材。
【請求項３】
セグメント躯体を製造するための型枠内に請求項１記載の止水材のうちの１つの部材である突起部材を設置した後、当該突起部材が位置する前記型枠内にコンクリートを打設し、型枠脱型後のセグメント躯体に固定された前記突起部材に止水材のもう１つの部材である結合部材を結合させ、次いで、前記結合部材に別のセグメント躯体を当接させ、しかる後、両セグメント躯体端面間に形成される隙間に連結材を施工打設することを特徴とする止水材を用いたセグメント躯体の連結方法。
【請求項４】
型枠脱型後において、両セグメントを仮連結手段により仮連結することを特徴とする請求項３記載の止水材を用いたセグメント躯体の連結方法。
【発明の詳細な説明】
【技術分野】
【０００１】
本発明は、主としてコンクリート製であるセグメント躯体の連結部に使用するための止水材とこの止水材を用いたセグメント躯体の連結方法に関するものである。
【背景技術】
【０００２】
コンクリート製のセグメント躯体の連結部に止水材を取り付けるために、当該止水材を固定するための溝をコンクリート製のセグメント躯体に施工することが行われている。
【０００３】
また、コンクリート製のセグメント躯体の連結部に弾性を有する止水パッキンを接着剤あるいは仮止め具をもって貼着する方法も提案されている（例えば、特許文献１参照）。
【先行技術文献】
【特許文献】
【０００４】
【特許文献１】特公平６−８１１６号公報（公報第２頁第４欄２８行〜第５欄１行、第１図、第６図、第７図等参照）。
【発明の概要】
【発明が解決しようとする課題】
【０００５】
コンクリート製のセグメント躯体に止水材を固定するための溝を施工する方法では、この施工工数のみならず、その後の止水材の取付工数も必要となり、全体の施工工数が増えるという欠点を有している。また、コンクリート製のセグメント躯体に溝が形成されているため、この溝が原因でセグメント躯体に割れが多く発生し、その補修に多くの工数を必要とする。
【０００６】
一方、特許文献１の場合でも、コンクリート製のセグメント躯体に結合部材挿通用の孔が多数形成されているため、上記の場合と同じくセグメント躯体に割れが多く発生し、その補修に多くの工数を必要とする。また、結合部材挿通用の多数の孔に結合部材をそれぞれ挿通するための工数が必要であり、その本数に応じて取付のための工数が増えるという欠点がある。
【０００７】
本発明は、このような欠点を解消することを目的とするものである。
【課題を解決するための手段】
【０００８】
上記目的を達成するために、本発明によるセグメント躯体の連結部用止水材は、セグメント躯体を製造するための型枠に設置することができるものであって、前記セグメント躯体を形成するために前記型枠内のコンクリートを打設する側に突出させ得る突起部材と、この突起部材に結合させ得る結合部材の２つの部材で構成されていることを特徴とするものである。
【０００９】
本発明による止水材のうちの２つの部材の１つである突起部材を型枠内に設置すれば、前記型枠内のコンクリートを打設する側に止水材の２つの部材の１つである突起部材が突出することになり、この型枠内にコンクリートを打設してそれが硬化すれば、別途の止水材取付工程を要することなく、コンクリート製のセグメント躯体に止水材の２つの部材の１つである突起部材が固定された状態になる。
【００１０】
したがって、セグメント躯体を相互に連結するに当って、止水材の２つの部材の１つである突起部材を設置する施工工程を削減することができる。また、本発明による止水材を用いた場合には、水中において分離しない、いわゆる不分離型のモルタルその他の連結材を用い、セグメント躯体を着水状態のままで当該連結材を養生することができるので、セグメント躯体を相互に連結する際の止水材として極めて有用である。さらに、本発明による止水材は２つの部材からなっているので、型枠の製造が極めて簡単になる。
【００１１】
止水材を構成する２つの部材がゴムその他の弾性体から形成されていることが望ましい。このような止水材を用いた場合には、セグメント躯体を相互に連結する際弾性体からなる止水材の２つの部材の１つである結合部材を適宜圧縮でき、両セグメント躯体端面間の隙間の微調整が可能となるので、セグメント躯体相互の連結強度を巧みにかつ微妙に変更できる。
【００１２】
一方、本発明による止水材を用いたセグメント躯体の連結方法は、セグメント躯体を製造するための型枠に、止水材の２つの部材の１つである突起部材を設置した後、当該突起部材が位置する前記型枠内にコンクリートを打設し、型枠脱型後のセグメント躯体に固定された前記突起部材に止水材のもう１つの部材である結合部材を結合させ、次いで、前記結合部材に別のセグメント躯体を当接させ、しかる後、両セグメント躯体端面間に形成される隙間に連結材を施工打設することを特徴とするものである。
【００１３】
この連結方法によれば、セグメント躯体を相互に連結するに当って、止水材の２つの部材の１つである突起部材を設置する施工工程を削減することができる。また、水中において分離しない、いわゆる不分離型のモルタルその他の連結材を用い、セグメント躯体を着水状態のままで当該連結材を養生することができる。さらに、止水材固定用の溝の施工を行う必要がないので、セグメント躯体の割れを防止することができる。
【００１４】
型枠脱型後において、両セグメントを仮連結手段により仮連結しておくのが良い。このようにした場合には、その後に行われる連結材の施工打設を確実に行うことができるので、セグメント躯体相互を確実かつ強固に連結できる。
【発明の効果】
【００１５】
請求項１記載の止水材を用いた場合には、この止水材の２つの部材の１つである突起部材を型枠内に設置すれば、前記型枠内のコンクリートを打設する側に突起部材が突出することになり、この型枠内にコンクリートを打設してそれが硬化すれば、別途の止水材取付工程を要することなく、コンクリート製のセグメント躯体に止水材の２つの部材の１つである突起部材が固定された状態になる。したがって、セグメント躯体を相互に連結するに当って、当該突起部材を設置する施工工程を削減することができる。
【００１６】
また、請求項１記載の止水材を用いた場合には、水中において分離しない、いわゆる不分離型のモルタルその他の連結材を用い、セグメント躯体を着水状態のままで当該連結材を養生することができるので、セグメント躯体を相互に連結する際の止水材として極めて有用である。さらに、請求項１記載の止水材は２つの部材からなっているので、型枠の製造が極めて簡単になる。
【００１７】
請求項２記載の止水材を用いた場合には、セグメント躯体を相互に連結する際弾性体からなる止水材の２つの部材の１つである結合部材を適宜圧縮でき、両セグメント躯体端面間の隙間の微調整が可能となるので、セグメント躯体相互の連結強度を巧みにかつ微妙に変更できる。
【００１８】
請求項３記載の発明によれば、セグメント躯体を相互に連結するに当って、止水材の２つの部材の１つである突起部材を設置する施工工程を削減することができる。また、水中において分離しない、いわゆる不分離型のモルタルその他の連結材を用い、セグメント躯体を着水状態のままで当該連結材を養生することができる。さらに、止水材固定用の溝の施工を行う必要がないので、セグメント躯体の割れを防止することができる。
【００１９】
請求項４記載の発明によれば、その後に行われる連結材の施工打設を確実に行うことができるので、セグメント躯体相互を確実かつ強固に連結できる。
【図面の簡単な説明】
【００２０】
【図１】本発明によるセグメント躯体の連結部用止水材を型枠に設置する要領の一例を工程順に示す断面図である。
【図２】本発明によるセグメント躯体を相互に連結する要領の一例を工程順に示す断面図である。
【発明を実施するための形態】
【００２１】
本発明を実施するための形態について、図１、図２を参照しながら詳細に説明する。以下、コンクリート製のセグメント躯体を製造するための型枠に設置することができる止水材と、この止水材を用いたセグメント躯体の連結方法の一例を詳細に説明する。
【００２２】
本発明によるセグメント躯体の連結部用止水材１は、セグメント躯体を製造するための型枠２に設置することができるものであって、前記セグメント躯体を形成するために前記型枠２内のコンクリートを打設する側に突出させ得る突起部材１ａと、この突起部材１ａに結合させ得る結合部材１ｂの２つの部材で構成されている。
【００２３】
図１(a)〜(c)において、符号２で示すのが、コンクリート製のセグメント躯体を製造するための型枠であり、前記コンクリート製のセグメント躯体を形成するために、この型枠２内のコンクリートを打設する側（型枠２内）に、止水材１の２つの部材の１つである突起部材１ａを突出させることができる。
【００２４】
例えば、図１(a)において、符号３で示す部分に両面テープその他の接合材を型枠２内に貼着し、この接合材のより同図矢印で示すように前記突起部材１ａを型枠２内に設置すれば、図１(b)に示すように前記型枠２内のコンクリートを打設する側（型枠２内）に突起部材１ａを突出させることができ、この型枠２内に図１(c)に示すようにコンクリート４を打設してそれが硬化すれば、別途の止水材取付工程を要することなく、コンクリート製のセグメント躯体Ａに止水材１の２つの部材の１つである突起部材１ａが固定された状態になる。したがって、セグメント躯体Ａと別のセグメント躯体Ａとを相互に連結するに当って、当該突起部材１ａを設置する施工工程を削減することができる。
【００２５】
すなわち、型枠２を脱型すると、図１(d)に示すように、止水材１の２つの部材の１つである突起部材１ａが固定されたコンクリート製のセグメント躯体Ａを製造することができる。
【００２６】
前記突起部材１ａには、図１(a)〜(d)に示すように、凹嵌部１ａ’が形成されており、この凹嵌部１ａ’に止水部材１のもう１つの部材である結合部材１ｂの突部１ｂ’を嵌め込むと両者を結合することができる。すなわち、図１(d)に示すように、型枠２脱型後において、コンクリート製のセグメント躯体Ａに固定されている前記突起部材１ａの凹嵌部１ａ’に同図矢印で示すように結合部材１ｂの突部１ｂ’を嵌め込むと両者を結合することができ、型枠脱型後のセグメント躯体Ａの外面から止水部材１のもう１つの部材である結合部材１ｂが突出することとなる。
【００２７】
したがって、型枠脱型後のセグメント躯体Ａから突出するこの結合部材１ｂに図２(a)の矢印で示すように別のセグメント躯体Ａを当接させ、しかる後、図２(b)に示すように両セグメント躯体Ａ，Ａ端面間に形成される隙間５に連結材６を施工打設する。すると、図２(c)に示すように、２つのセグメント躯体Ａ，Ａを連結材６で相互に連結することができる。連結材６として、モルタルその他の接合材を用いることができる。
【００２８】
この場合において、相互に連結された２つのセグメント躯体Ａ，Ａ間には止水材１の２つの部材の１つである結合部材１ｂが配置されているので、相互に連結された２つのセグメント躯体Ａ，Ａの接合面間の止水効果は十二分に保持される。特に、結合部材１ｂをここに例示したような形状とすることにより、止水材全体のコストを大幅に削減できるのみならず、止水性能を大幅に安定させることができる。
【００２９】
このように、ここに例示した止水材１を用いた場合には、型枠２内のコンクリートを打設する側（型枠２内）に突起部材１ａを突出させることができ、この型枠２内にコンクリート４を打設してそれが硬化すれば、別途の止水材取付工程を要することなく、コンクリート製のセグメント躯体Ａに止水材１の２つの部材の１つである突起部材１ａが固定された状態になる。したがって、セグメント躯体Ａ，Ａを相互に連結するに当って、止水材１の２つの部材の１つである突起部材１ａを設置する施工工程を削減することができる。また、水中において分離しない、いわゆる不分離型の連結材６を用い、セグメント躯体Ａ，Ａを着水状態のままで当該連結材６を養生することができるので、セグメント躯体Ａ，Ａを相互に連結する際の止水材１として極めて有用である。
【００３０】
一方、ここに例示したセグメント躯体の連結方法によれば、セグメント躯体Ａ，Ａを連結するに当って、止水材の２つの部材の１つである突起部材１ａを設置する施工工程を削減することができる。また、水中において分離しない、いわゆる不分離型の連結材６を用い、セグメント躯体Ａ，Ａを着水状態のままで当該連結材６を養生することができる。さらに、止水材固定用の溝の施工を行う必要がないので、セグメント躯体Ａ，Ａの割れを防止することができる。
【００３１】
ここでは、止水材１を構成する２つの部材として、ゴムその他の弾性体から形成されたものを用いる。このような止水材１を用いた場合には、セグメント躯体Ａ，Ａを相互に連結する際弾性体からなる止水材１の２つの部材の１つである結合部材１ｂを適宜圧縮でき、両セグメント躯体Ａ，Ａ端面間の隙間５の微調整が可能となるので、セグメント躯体Ａ，Ａ相互の連結強度を巧みにかつ微妙に変更できる。
【００３２】
また、型枠２の脱型後において、両セグメント躯体Ａ，Ａをボルトとナットのような仮連結手段により仮連結することができる。仮連結状態を図２(b)に示す。ここでは、仮連結手段の図示を省略するが、両セグメント躯体Ａ，Ａを仮連結手段により仮連結した場合には、その後に行われる連結材６の施工打設を確実に行うことができるので、セグメント躯体Ａ，Ａ相互を確実かつ強固に連結できる。
【符号の説明】
【００３３】
１…止水材、１ａ…突起部材、１ｂ…結合部材、２…型枠、４…コンクリート、５…隙間、６…連結材、Ａ…セグメント躯体。
【図１】
2015094196.tif 000003
【図２】
2015094196.tif 000004